(57)【特許請求の範囲】
【請求項１】
開口部用軸組（１）の側枠材（１３）に取り付けて、前記開口部用軸組（１）に取り付けた窓ユニット（２）の側方に配置する窓サイド用外壁材（５）の取付構造であって、前記窓サイド用外壁材（５）の裏面に、前記側枠材（１３）における前記窓サイド用外壁材（５）の裏面に対向する正面側にあてがう第１プレート（３０）と、前記側枠材（１３）における前記窓サイド用外壁材（５）の裏面に対して略直交する側面側にあてがう第２プレート（３１）とを備えた取付部材（２９）を設けるとともに、前記第１プレート（３０）を前記側枠材（１３）の正面側に止め付ける第１止付部材（５０）と、前記第２プレート（３１）を前記側枠材（１３）の側面側に止め付ける第２止付部材（６０）とを備え、これら第１及び第２止付部材（５０）（６０）は、屋外側から前記窓サイド用外壁材（５）とこれに隣接する外壁材（７１）との間の縦目地部（７２）に挿入した工具（８０）（８１）により操作可能な操作部（５２）（６３）をそれぞれ備え、それら操作部（５２）（６３）を操作することによって、前記第１及び第２止付部材（５０）（６０）による前記第１及び第２プレート（３０）（３１）の止め付けを解除して、前記窓サイド用外壁材（５）を取外可能としたことを特徴とする窓サイド用外壁材の取付構造。
【請求項２】
前記第１止付部材（５０）は、前記側枠材（１３）に係合する係合材（５１）と、この係合材（５１）に取り付けた回転軸（５２）と、この回転軸（５２）周りに回動可能に取り付けて、前記第１プレート（３０）を前記側枠材（１３）の正面側に押し付ける押さえ材（５３）とを備え、前記縦目地部（７２）に臨ませた前記操作部としての前記回転軸（５２）を回転操作することで、前記押さえ材（５３）を回転させて前記押さえ材（５３）による押し付けを解除して、前記第１プレート（３０）の屋外方向への引き抜きを可能とし、前記第２止付部材（６０）は、前記第２プレート（３１）に形成した屋内側端部が開放した屋内外方向の横溝（４３）を貫通した状態で、前記側枠材（１３）若しくは前記側枠材（１３）に設けた支持材（６２）にねじ込むことで、前記第２プレート（３１）を前記側枠材（１３）の側面側に押し付ける横ボルト（６１）を備え、この横ボルト（６１）の前記縦目地部（７２）に臨ませた前記操作部として先端部（６３）を回転操作することで、前記横ボルト（６１）による押し付けを解除して、前記第２プレート（３１）の屋外方向への引き抜きを可能とした請求項１記載の窓サイド用外壁材の取付構造。
【請求項３】
前記側枠材（１３）は、リップ付き溝形鋼からなり、その正面側のフランジ（１３ａ）に前記第１プレート（３０）を止め付けるとともに、側面側のリップ（１３ｂ）（１３ｂ）間に跨るようにして前記第２プレート（３１）を止め付けるようにした請求項１又は２記載の窓サイド用外壁材の取付構造。
【発明の詳細な説明】
【技術分野】
【０００１】
この発明は、鉄骨軸組構造の住宅における窓ユニットの側方に配置する窓サイド用外壁材の取付構造に関する。
【背景技術】
【０００２】
近年、世代を越えて循環利用できる社会的資産としての住宅の実現、普及に向けての開発が活発になされている。この種の住宅では、構造躯体については、高い耐久性が要求されるが、構造躯体に比べて耐久性の確保が困難な各種設備については、容易に維持管理（交換、修理等）を行うことができる良好なメンテナンス性が要求されており、これに伴い外壁部分に設ける窓ユニットにおいても、内装部分を取り壊すことなく、屋外側から簡単に取り外すことができる構造のものが望まれている。
【０００３】
一般に、鉄骨軸組構造の住宅においては、開口部用軸組に窓ユニットが取り付けられている。開口部用軸組は、方形枠状の外周枠内に開口形成用枠を取り付けることによって、各種形状の窓取付用開口が形成されており、この窓取付用開口に窓ユニットが取り付けられ、窓ユニットの上下には窓上外壁材や窓下外壁材が取り付けられるようになっている。
【０００４】
窓上外壁材や窓下外壁材は、屋外側から操作可能な止付部材によって開口部用軸組に止め付けられていて、屋外側からの操作によって止付部材による止め付けを解除することで簡単に取り外すことができる。そして、窓上外壁材や窓下外壁材を取り外すことで、窓ユニットの開口部用軸組に対する取付部位が露出して、窓ユニットを屋外側から取り外すことができるようになっている。
【０００５】
一方、開口部用軸組の窓取付用開口よりも幅寸法の小さい窓ユニットを取り付けたり、意匠性を高めるために窓ユニットを屋内側へ後退させるように取り付けることがあるが、この場合、例えば特許文献１にも開示されているように、窓上外壁材や窓下外壁材以外に、窓ユニットの側方において窓サイド用外壁材を配置することがある。
【０００６】
【特許文献１】実用新案登録第３０２６３９４号公報
【発明の開示】
【発明が解決しようとする課題】
【０００７】
しかしながら、上記のような窓サイド用外壁材は、窓上外壁材や窓下外壁材のように開口部用軸組の枠材間に跨るようにして取り付けることができず、開口部用軸組の外周枠における片側の側枠材にのみ取り付けられることから、安定して取り付けるためには取付構造が複雑にならざるを得ず、窓上外壁材や窓下外壁材のように屋外側からの操作によって取り外すための技術が十分に確立されていなかった。このため、窓サイド用外壁材を配置した場合には、窓ユニットの取り外しに際して、内装部分の一部を取り壊すような面倒な作業を強いられることがあった。
【０００８】
また、特許文献１に開示されているように、窓サイド用外壁材を屋外側から直接ビス止めした場合には、ビスを取り外すだけで、内装部分の一部を取り壊すことなく窓サイド用外壁材を簡単に取り外すことができるが、窓サイド用外壁材の外表面にビス頭部が露出して見栄えが悪くなるとともに、窓サイド用外壁材のビス貫通部分の防水対策等も別途必要となるといった不具合があった。
【０００９】
この発明は、上記不具合を解消して、開口部用軸組の側枠材に直接ビス止めすることなく安定して取り付けた窓サイド用外壁材を、屋外側からの操作によって簡単に取り外すことができるようにした窓サイド用外壁材の取付構造の提供を目的とする。
【課題を解決するための手段】
【００１０】
上記課題を解決するため、この発明は、開口部用軸組１の側枠材１３に取り付けて、前記開口部用軸組１に取り付けた窓ユニット２の側方に配置する窓サイド用外壁材５の取付構造であって、前記窓サイド用外壁材５の裏面に、前記側枠材１３における前記窓サイド用外壁材５の裏面に対向する正面側にあてがう第１プレート３０と、前記側枠材１３における前記窓サイド用外壁材５の裏面に対して略直交する側面側にあてがう第２プレート３１とを備えた取付部材２９を設けるとともに、前記第１プレート３０を前記側枠材１３の正面側に止め付ける第１止付部材５０と、前記第２プレート３１を前記側枠材１３の側面側に止め付ける第２止付部材６０とを備え、これら第１及び第２止付部材５０、６０は、屋外側から前記窓サイド用外壁材５とこれに隣接する外壁材７１との間の縦目地部７２に挿入した工具８０、８１により操作可能な操作部５２、６３をそれぞれ備え、それら操作部５２、６３を操作することによって、前記第１及び第２止付部材５０、６０による前記第１及び第２プレート３０、３１の止め付けを解除して、前記窓サイド用外壁材５を取外可能としたことを特徴とする。
【００１１】
具体的に、前記第１止付部材５０は、前記側枠材１３に係合する係合材５１と、この係合材５１に取り付けた回転軸５２と、この回転軸５２周りに回動可能に取り付けて、前記第１プレート３０を前記側枠材１３の正面側に押し付ける押さえ材５３とを備え、前記縦目地部７２に臨ませた前記操作部としての前記回転軸５２を回転操作することで、前記押さえ材５３を回転させて前記押さえ材５３による押し付けを解除して、前記第１プレート３０の屋外方向への引き抜きを可能とし、前記第２止付部材６０は、前記第２プレート３１に形成した屋内側端部が開放した屋内外方向の横溝４３を貫通した状態で、前記側枠材１３若しくは前記側枠材１３に設けた支持材６２にねじ込むことで、前記第２プレート３１を前記側枠材１３の側面側に押し付ける横ボルト６１を備え、この横ボルト６１の前記縦目地部７２に臨ませた前記操作部として先端部６３を回転操作することで、前記横ボルト６１による押し付けを解除して、前記第２プレート３１の屋外方向への引き抜きを可能としている。
【００１２】
また、前記側枠材１３は、リップ付き溝形鋼からなり、その正面側のフランジ１３ａに前記第１プレート３０を止め付けるとともに、側面側のリップ１３ｂ、１３ｂ間に跨るようにして前記第２プレート３１を止め付けるようにしている。
【発明の効果】
【００１３】
この発明の窓サイド用外壁材の取付構造においては、窓サイド用外壁材の裏面に設けた取付部材の第１プレートを、第１止付部材によって開口部用軸組の側枠材の正面側に止め付けるとともに、取付部材の第２プレートを、第２止付部材によって開口部用軸組の側枠材の側面側に止め付けることで、窓サイド用外壁材をその裏面側において２方向から止め付けているので、窓サイド用外壁材を開口部用軸組の側枠材に直接ビス止めすることなく安定して取り付けることができる。
【００１４】
しかも、第１及び第２止付部材は、屋外側から窓サイド用外壁材とこれに隣接する外壁材との間の縦目地部に挿入した工具により操作することで、第１及び第２プレートの止め付けを解除するので、窓サイド用外壁材を屋外側からの操作によって簡単に取り外すことができる。これにより、内装部分の一部を取り壊すような面倒な作業を強いられることなく、窓ユニットの開口部用軸組に対する取付部位を露出させて、窓ユニットを屋外側から簡単に取り外して、交換や修理といった維持管理を容易に行うことができる。
【発明を実施するための最良の形態】
【００１５】
以下、この発明の実施形態を図面に基づいて詳細に説明する。図１は、鉄骨軸組構造の住宅における窓を備えた外壁部分を示しており、１は開口部用軸組、２は窓ユニット、３、３は窓ユニット２の上方に配置した窓上外壁材、４、４は窓ユニット２の下方に配置した窓下外壁材、５、５は窓ユニット２の両側方に配置した窓サイド用外壁材である。
【００１６】
開口部用軸組１は、方形枠状の外周枠１０を備え、この外周枠１０内の上側及び下側に開口形成用枠１１、１２をそれぞれ取り付けることによって構成されている。なお、この開口部用軸組１は、一般外壁部の軸組７０・・とともに横並びに配置されている。
【００１７】
外周枠１０は、リップ付き溝形鋼からなる左右一対の側枠材１３、１３と、これら側枠材１３、１３の上端部間を連結するリップ付き溝形鋼からなる上枠材１４と、側枠材１３、１３の下端部間を連結するリップ付き溝形鋼からなる下枠材１５とから構成されており、これら側枠材１３、１３、上枠材１４及び下枠材１５は、それぞれの溝部開口が外周枠１０内に向くようにして配置されている。
【００１８】
上側の開口形成用枠１１は、側枠材１３、１３間に差し渡された上側横枠材１６と、上枠材１４の中央部と上側横枠材１６の中央部との間に差し渡された上側縦枠材１７とを備えている。上側横枠材１６は、溝部開口を上方に向けて配置した溝形鋼からなり、そのウエブ下面には一対の窓台１６ａ、１６ａが取り付けられている。上側縦枠材１７は、互いのウエブ部分を対向させるようにして配置した一対のリップ付き溝形鋼からなる。
【００１９】
下側の開口形成用枠１２は、側枠材１３、１３間に差し渡された下側横枠材１８と、下枠材１５の中央部と下側横枠材１８の中央部との間に差し渡された下側縦枠材１９とを備えている。下側横枠材１８は、溝部開口を下方に向けて配置した溝形鋼からなり、そのウエブ上面には一対の窓台１８ａ、１８ａが取り付けられている。下側縦枠材１９は、互いのウエブ部分を対向させるようにして配置した一対のリップ付き溝形鋼からなる。
【００２０】
この開口部用軸組１において、上下の開口形成用枠１１、１２の上側及び下側横枠材１６、１８と、外周枠１０の側枠材１３、１３とによって囲まれた空間部分が、窓取付用開口Ｓとなっている。
【００２１】
窓ユニット２は、方形枠状のサッシ枠２０内にガラス障子２１を回動可能に取り付けたもので、サッシ枠２０の下端部には屋外側へ張り出すようにして水切り材２２が設けられている。この窓ユニット２は、その幅寸法が開口部用軸組１の窓取付用開口Ｓの幅寸法よりも小さく設定されている。なお、窓ユニット２としては、サッシ枠にガラス障子を引き違い可能に取り付けたものや、サッシ枠にガラス障子を嵌め殺し状に取り付けたものであっても良い。
【００２２】
窓上外壁材３、窓下外壁材４及び窓サイド用外壁材５は、押出しセメント板からなり、その内部には上下方向に貫通する複数の中空部２５・・が間隔をあけて形成されている。なお、窓上外壁材３、窓下外壁材４及び窓サイド用外壁材５としては、中空部２５・・が形成されていない構造のものであっても良い。
【００２３】
そして、開口部用軸組１の窓取付用開口Ｓに窓ユニット２が取り付けられ、この窓ユニット２の上方において、外周枠１０の側枠材１３、１３と上側の開口形成用枠１１の上側縦枠材１７とに跨って窓上外壁材３、３が横並びに取り付けられ、窓ユニット２の下方において、外周枠１０の側枠材１３、１３と下側の開口形成用枠１２の下側縦枠材１９とに跨って窓下外壁材４、４が横並びに取り付けられ、さらに窓ユニット２の両側方において、外周枠１０の側枠材１３、１３に窓サイド用外壁材５、５がそれぞれ取り付けられる。
【００２４】
この取付状態において、窓ユニット２は、外壁材３、４、５・・の外表面よりも外壁材３、４、５・・の厚み分だけ屋内側へ後退するようにして配され、これにより窓上外壁材３、３の下端面及び窓サイド用外壁材５、５の側端面を屋外に露出させて重厚感や高級感を与えるようにしている。また、窓ユニット２の屋外側へ張り出した水切り材２２によって、窓下外壁材４、４の上端面を覆い隠すようになっている。
【００２５】
また、窓上外壁材３、３及び窓下外壁材４、４は、屋外側から操作可能な後述する第１止付部材５０と同様の止付部材によって開口部用軸組１に止め付けられており、屋外側からの操作によって止付部材による止め付けを解除することで簡単に取り外すことができるようになっている。
【００２６】
図２及び図３は、開口部用軸組１の側枠材１３に対する窓サイド用外壁材５の取付構造を示している。なお、図２及び図３においては、一方の窓サイド用外壁材５（図１において右側の窓サイド用外壁材５）の取付構造を示しているが、他方の窓サイド用外壁材５（図１において左側の窓サイド用外壁材５）も同様の取付構造となっている。また、図３において、７１は一般外壁部の軸組７０に止め付けられた外壁材、７２は窓サイド用外壁材５と外壁材７１との間の縦目地部、７３は縦目地部７２に充填した目地材、７４は内装材である。
【００２７】
以下、この取付構造の詳細について説明する。まず、窓サイド用外壁材５の裏面に、取付部材２９を設けている。この取付部材２９は、側枠材１３における窓サイド用外壁材５の裏面に対向する正面側のフランジ１３ａにあてがう第１プレート３０と、側枠材１３における窓サイド用外壁材５の裏面に対して略直交する側面側のリップ１３ｂ、１３ｂ間に跨るようにあてがう第２プレート３１・・とを備えている。
【００２８】
第１プレート３０は、窓サイド用外壁材５の裏面に沿って上下方向に配され、その要所要所を屋外側に略Ｌ字状に切り起こしてなる複数の取付片３２・・が上下方向に間隔をあけて形成されている。この第１プレート３０には、複数のボルト挿通孔３３・・が上下方向に間隔をあけて形成されている。また、取付片３２・・には、ビス挿通孔３４が夫々形成されている。そして、取付片３２・・を、窓サイド用外壁材５の裏面に形成した略Ｌ字状の切欠部分３５に収めるようにして、それらビス挿通孔３４・・に挿通させたビス３６・・を、側枠材１３の中空部２５に挿入した裏当て材３７にねじ込むことで、第１プレート３０が窓サイド用外壁材５の裏面に固定されている。なお、第１プレート３０の固定に際しては、必ずしも上記のようにビス３６・・止めする必要はなく、例えば接着剤によって接着したり、窓サイド用外壁材５の成形時に一体的に固設しても良い。
【００２９】
第２プレート３１・・は、略Ｌ字状に形成されて、上下方向に間隔をあけて配されている。この第２プレート３１の正面片４０には、図４に示すように、第１プレート３０のボルト挿通孔３３に対応するボルト挿通孔４２が形成されている。また、第２プレート３１の側面片４１には、屋内側端部が開放した屋内外方向の横溝４３が形成されている。そして、正面片４０を、そのボルト挿通孔４２を第１プレート３０のボルト挿通孔３３に一致させながら第１プレート３０に屋内側から重ね合わせるようにして、それらボルト挿通孔３３、４２に挿通させたボルト４４にナット４５を螺合して締め付けることによって、第２プレート３１が第１プレート３０に固定されている。
【００３０】
このようにして、窓サイド用外壁材５の裏面に設けた取付部材２９は、その第１プレート３０が第１止付部材５０・・によって側枠材１３の正面側のフランジ１３ａに止め付けられ、第２プレート３１・・の側面片４１・・が第２止付部材６０・・によって側枠材１３の側面側のリップ１３ｂ、１３ｂ間に跨るようにして止め付けられている。なお、これら第１止付部材５０・・及び第２止付部材６０・・は、図２及び図３において図示していないが上下方向に間隔をあけて複数設けられている。また、図２において、上下の第１止付部材５０、５０を図示しているが、上側の第１止付部材５０は、一般外壁部の軸組７０に外壁材７１を止め付けるためのもので、下側の第１止付部材５０が上記の第１プレート３０を止め付けるためのものであり、これらは同じ構造となっている。
【００３１】
第１止付部材５０は、側枠材１３に係合する係合材５１と、この係合材５１に取り付けた回転軸５２と、この回転軸５２周りに回動可能に取り付けられて、第１プレート３０を側枠材１３の正面側のフランジ１３ａに押し付ける押さえ材５３とを備えている。
【００３２】
係合材５１は、両端部に爪部を有する略コ字状の係止片５５と、この係止片５５に固定された略平板状の基片５６とを備え、係止片５５の爪部を側枠材１３のリップ１３ｂ、１３ｂに引っ掛けながら、係止片５５を側枠材１３に外嵌させることで、側枠材１３に係合されている。
【００３３】
回転軸５２は、係合材５１の基片５６にねじ込まれたボルトからなり、その頭部には、例えば六角レンチ等の工具８０を係合するための係合孔５２ａが形成されている。この回転軸５２は、図３に示すように、窓サイド用外壁材５とこれに隣接する外壁材７１との間の縦目地部７２に臨むようにして配置されている。
【００３４】
押さえ材５３は、その先端部が折曲されていて、その基端部に回転軸５２が挿通されている。この押さえ材５３は、回転軸５２周りに回動することよって、第１プレート３０を押し付け可能とする第１位置（図２の２点鎖線で示す位置）と、第１プレート３０から離間して第１プレート３０を屋外方向への引き抜き可能とする第２位置（図２の実線で示す位置）との間で切換可能となっている。また、押さえ材５３の基端部と係合材５１の基片５６との間には、押さえ材５３を屋外方向へ付勢するバネ５７が介装されている。
【００３５】
このような第１止付部材５０においては、回転軸５２を基片５６にねじ込むことによって、押さえ材５３が回転軸５２の回転に伴って連れ回りながら第１位置まで回転して、この状態から回転軸５２をさらにねじ込むことで押さえ材５３がバネ５７の付勢力に抗して屋内側に移動して、第１プレート３０を押し付けるようになっている。また、回転軸５２のねじ込みを緩めることによって、押さえ材５３がバネ５７の付勢力により屋外側へ移動して第１プレート３０の押し付けを解除し、この状態から回転軸５２をさらに緩めることで、押さえ材５３が回転軸５２の回転に伴って連れ回りながら第２位置まで回転するようになっている。
【００３６】
第２止付部材６０は、横ボルト６１と、この横ボルト６１を螺合させる支持材６２とを備えている。横ボルト６１の先端部６３は、例えばスパナ等の工具８１を係合するために角柱状に形成されている。支持材６２は、略平板状に形成されて、側枠材１３の溝部内においてリップ１３ｂ、１３ｂ裏面にあてがうようにして配されている。この支持材６２には、ボルト孔６４が形成されている。
【００３７】
このような第２止付部材６０においては、横ボルト６１を、図４に示すように第２プレート３１の側面片４１の横溝４３を貫通させた状態で、側枠材１３のリップ１３ｂ、１３ｂ間の隙間を通して、支持材６２のボルト孔６４にねじ込むことで、横ボルト６１によって第２プレート３１の側面片４１を側枠材１３の側面側のリップ１３ｂ、１３ｂ間に跨るようにして押し付けるようになっている。また、この押し付け状態において、横ボルト６１の先端部６３は、開口部用軸組１及び一般外壁部の軸組７０の側枠材１３、１３に形成されている挿通孔６５、６５を貫通して、窓サイド用外壁材５とこれに隣接する外壁材７１との間の縦目地部７２に臨むようにして配置されている。
【００３８】
上記構成において、窓サイド用外壁材５を取り外す場合には、まず第１止付部材５０による第１プレート３０の止め付けを解除する。すなわち、図５に示すように、屋外側から縦目地部７２に挿入した六角レンチ等の工具８０を、縦目地部７２に臨ませた操作部としての回転軸５２の係合孔５２ａに係合して、回転軸５２を回転操作して緩めることで、押さえ材５３による第１プレート３０の押し付けを解除するとともに、押さえ材５３を第２位置まで回転させて、第１プレート３０の屋外方向への引き抜きを可能とする。
【００３９】
続いて、第２止付部材６０による第２プレート３１の止め付けを解除する。すなわち、図６に示すように、屋外側から縦目地部７２に挿入したスパナ等の工具８１を、縦目地部７２に臨ませた操作部としての横ボルト６１の先端部６３に係合して、この先端部６３を回転操作して横ボルト６１の締め付けを緩めることで、横ボルト６１による第２プレート３１の押し付けを解除して、第２プレート３１の屋外方向への引き抜きを可能とする。なお、横ボルト６１は、第２プレート３１の屋内側端部が開放した屋内外方向の横溝４３を貫通しているので、横ボルト６１の押し付けを解除さえすれば、第２プレート３１を屋外方向へ引き抜くことができる。
【００４０】
このようにして第１及び第２止付部材５０、６０・・による第１及び第２プレート３０、３１・・の止め付けを解除した後、図７に示すように、窓サイド用外壁材５を屋外方向へ引き出すことで、窓サイド用外壁材５を開口部用軸組１の側枠材１３から簡単に取り外すことができる。なお、窓サイド用外壁材５を再び取り付ける場合には、上記作業と逆の作業を行うようにすれば良い。
【００４１】
そして、従来のように窓上外壁材３、３及び窓下外壁材４、４についても、屋外側からの操作によって簡単に取り外すことで、窓ユニット２の開口部用軸組１に対する取付部位が露出して、内装材７４等を取り壊すことなく、窓ユニット２を屋外側から簡単に取り外して、交換や修理といった維持管理を容易に行うことができる。
【００４２】
この発明は、上記実施形態に限定されるものではなく、この発明の範囲内で上記実施形態に多くの修正及び変更を加え得ることは勿論である。
【図面の簡単な説明】
【００４３】
【図１】鉄骨軸組構造の住宅における窓を備えた外壁部分の分解斜視図である。
【図２】この発明の一実施形態に係る窓サイド用外壁材の取付構造を示す分解斜視図である。
【図３】同じくその横断面図である。
【図４】第２プレートを示す斜視図である。
【図５】第１止付部材の止め付け解除操作を示す横断面図である。
【図６】第２止付部材の止め付け解除操作を示す横断面図である。
【図７】窓サイド用外壁材の取り外した状態を示す横断面図である。
【符号の説明】
【００４４】
１・・開口部用軸組、２・・窓ユニット、５・・窓サイド用外壁材、１３・・側枠材、１３ａ・・フランジ、１３ｂ・・リップ、２９・・取付部材、３０・・第１プレート、３１・・第２プレート、４３・・横溝、５０・・第１止付部材、５１・・係合材、５２・・回転軸（操作部）、５３・・押さえ材、６０・・第２止付部材、６１・・横ボルト、６２・・支持材、６３・・先端部（操作部）、７１・・外壁材、７２・・縦目地部、８０、８１・・工具
【図１】
0005024177.tif 000002
【図２】
0005024177.tif 000003
【図３】
0005024177.tif 000004
【図４】
0005024177.tif 000005
【図５】
0005024177.tif 000006
【図６】
0005024177.tif 000007
【図７】
0005024177.tif 000008